(57)【要約】【課題】非常に強固であって軽量であり、しかも剛性の運動用器具を提供する。【解決手段】運動用バーベルが、１対の湾曲バーにより連結された１対のリングを有する。リングは、取っ手部材を回転自在に支持する。２つのリングの外部に位置するバーの延長部は、リングの外径に一致すると共に互いに同形の半月形ウエイト（おもり）を支持する。ウエイトは、比較的扁平であり、従って、器具全体が単一の平面内に位置する。２つのリングの対向した側部を連結する真っ直ぐなバーが滑りウエイトを支持し、この滑りウエイトは、非対称型の運動を可能にするよう真っ直ぐなバーの一方の側部又は他方の側部に向かって移動可能である。【選択図】図１
2010284542.tif 000002
【特許請求の範囲】
【請求項１】
ウエイトリフティング器具であって、
共通平面に位置し、且つ、該共通平面に位置する１対の連結バーにより互いに間隔を隔てた関係で接合された複数の外側リングを有し、この外側リングの各々は連続したリング形であり、前記連結バーは各々、前記リングのうちの１つの或る箇所に連結された一方端部と、反対側のリングの或る箇所に連結された他方端部とを備え、前記１対のバーが各々取り付けられるこれらのリングの前記箇所は、互いに間隔を隔てられ、他の前記リングに最も近い各前記リングの側にあり、
前記各外側リング内に自由回転自在に支持された一定長さの取っ手部材を有し、これらの取っ手部材は、ユーザの手で握られたときに、前記支持外側リング内で任意の向きに移動させることができ、
前記バーは、互いに向かい合った凹状面を有するように湾曲されている、
ウエイトリフティング器具。
【請求項２】
２つの前記外側リングの外側部に接合された、ウエイトを支持するための細長い端延長部を有する、請求項１記載のウエイトリフティング器具。
【請求項３】
前記リングと同一の半径に湾曲され、前記端延長部で支持されるようになった半月形の矩形ウエイトを有する、請求項２記載のウエイトリフティング器具。
【請求項４】
前記ウエイトが前記リングとほぼ同じ厚さを有する、請求項３記載のウエイトリフティング器具。
【請求項５】
前記外側リング内に回転自在に支持された前記取っ手部材は、前記外側リング内に回転自在に支持されるように前記外側リング内で支承された１対の内側リングの２等分線となっている、請求項１記載のウエイトリフティング器具。
【請求項６】
運動用バーベルであって、
各々が連続したリング形である、１対の金属製外側リングを有し、
各々が前記２つの外側リングを接合する１対の連結バーを有し、前記各バーは、前記外側リングの一方の周縁部に固定された一方端部と、他方の前記外側リングの周縁部に固定された他方端部とを備え、リングに対する前記２つのバーの連結の箇所が、他方の前記リングに最も近いリングの側で、互いに間隔を隔てられ、これらの外側リングと、前記２本の連結バーは、全て、共通平面に位置し、
前記各外側リング内に回転自在に支持された、連続したリング形の内側リングと、
前記内側リングの各々の、直径方向に対向した箇所に固定された端部を備える細長い取っ手部材とを有し、前記内側リング及び前記取っ手部材を、前記外側リングに対して任意の向きに回転させることができ、
前記バーは、互いに向かい合った凹状面を有するように湾曲されている、
運動用バーベル。
【請求項７】
前記２本の連結バーの前記連結箇所相互間で互いに間隔を置いた箇所で前記２つの外側リングの周縁部に接合された中央の真っ直ぐな連結バーを更に有する、請求項６記載の運動用バーベル。
【請求項８】
運動用バーベルであって、
各々が連続したリング形の管で構成された、１対の金属製外側リングと、
前記２つのリングを接合する１対の管状の連結バーとを有し、各バーは、前記外側リングの一方の周縁部に固定された一方端部と、他方の前記外側リングの周縁部に固定された他方端部とを備え、前記リングに対する前記各バーの連結箇所は、互いに間隔を隔てられ、互いに最も近い前記リングの側にあり、前記外側リング及び前記２本の連結バーは全て、共通平面内に位置し、
保持板によって前記各外側リング内に自由回転自在に支持された、連続したリング形の内側リングを有し、前記保持板は、前記外側リングの対向したフェースに固定され、前記内側リングの周囲フェースとオーバーラップし、
前記各内側リング上の、直径方向に対向した箇所に固定された端部を備えた細長い取っ手部材を有し、
前記２つの外側リングの中心を通って延びる軸線に位置する箇所で前記外側リングの各々に固定された延長バーと、
該延長バーにアレイ状に配置されるようになった中央穴を備える複数個の半月形ウエイトとを有し、
前記連結バーは、互いに向かい合った凹状面を有するように湾曲されている、
バーベル。
【請求項９】
延長バー上にアレイ状に配置された第１の前記半月形ウエイトは、前記リングのうちの１つの外周部に合致し、前記延長バー上にアレイ状に配置された他の前記ウエイトの凹状面は、先に取り付けたウエイトの凹状面に合致する、請求項８記載のバーベル。
【請求項１０】
前記端リング相互間で前記連結バー上に滑動自在に支持されたウエイトを更に有し、該ウエイトは、運動中、非対称の加重状態を生じさせるよう一方の端リング又は他方の端リングに向かって移動できる、請求項９記載のバーベル。
【請求項１１】
運動用器具であって、
各々が連続したリング形である、１対のリングと、
各リングの内部の直径方向に対向した箇所に位置する対向端部を備えた細長い取っ手部材とを有し、該各取っ手部材は、該取っ手部材をそのリングに対し当該リングの平面において任意の向きに回転させることができるように、該取っ手部材の関連のリングに対して自由回転自在に支持され、
前記リング相互間に延び、前記リングを共通平面において間隔を隔てた関係に保持するように前記リングの各々に堅固に連結された支持構造体を有し、該支持構造体は、前記共通平面に位置し、前記リング間に延びる１対の対向した縁部と、前記共通平面に垂直な線に沿って測定した厚さよりも大きい、前記リングの中心間に延びる前記共通平面の線に対して垂直に測定した幅とを有し、
前記支持構造体の縁部は、互いに向かい合った凹状面を有するように湾曲されている、
運動用器具。
【請求項１２】
前記支持構造体により支持された調節可能なウエイト手段を更に有する、請求項１１記載の運動用器具。
【請求項１３】
運動用器具であって、
各々が連続したリング形である、１対のリングと、
各リングの内部の直径方向に対向する箇所に位置する対向端部を備えた細長い取っ手部材とを有し、各取っ手部材は、該取っ手部材を該リングに対してこのリングの平面において任意の向きに回転させることができるように、該取っ手部材の関連のリングに対して自由回転自在に支持され、
前記リング間に延び、前記リングを共通平面において間隔を隔てた関係に保持するように前記リングの各々に堅固に連結された支持構造体を有し、該支持構造体は、
前記共通平面内に位置し、前記リングの対向側部で前記リングに対して接線方向に延びる平面において１対の平行な線によって境界付けられた領域内に納められ、
前記リングの中心間に延びる１対の対向した縁部と、前記共通平面に対して垂直な線に沿って測定した厚さよりも大きい、前記リングの中心間を延びる前記共通平面の線に対して垂直に測定した幅を有し、
前記支持構造体の縁部は、互いに向かい合った凹状面を有するように湾曲されている、
運動用器具。
【発明の詳細な説明】
【技術分野】
【０００１】
本発明は、運動目的、例えばウエイトリフティング用のバーベルに関し、特に、器具の両端で多数個のウエイトを支持する手段を有すると共に回転可能な握りと、中央バー上に支持された滑りカウンターウエイトと、器具の端部上に支持できる矩形の湾曲ウエイトとを有するかかる運動用器具に関する。
【背景技術】
【０００２】
本願は、２００４年２月２５日に出願された米国仮特許出願第６０／５４７，５９０号及び２００４年４月２１日に出願された米国仮特許出願第６０／５６４，６７１号の優先権主張出願であり、これら米国仮特許出願を参照により引用し、これらの開示内容を本明細書の一部とする。
【０００３】
バーベルは、カーリングやウエイトリフティングを含む種々の運動を行うために一般的に用いられており、かかる装置に用いることができるよう回転握りを提供してユーザの握りに任意の位置で対応でき、器具の軸線に平行な角度には制限されないようにすることが提案されている。特に、米国特許第３，３８４，３７０号明細書、同第４，６２９，１８４号明細書、同第５，３３４，１１３号明細書及び同第６，０２２，３００号明細書並びに米国再発行特許第３３，２１８号明細書は全て、バーに対する握りの角度を調節することができるよう回転自在に支持された握りを有するバーベル構造を開示している。
【０００４】
【特許文献１】米国特許第３，３８４，３７０号明細書
【特許文献２】米国特許第４，６１８，１８３号明細書
【特許文献３】米国特許第４，６２９，１８４号明細書
【特許文献４】米国特許第５，３３４，１１３号明細書
【特許文献５】米国特許第６，０２２，３００号明細書
【特許文献６】米国再発行特許第３３，２１８号明細書
【発明の概要】
【発明が解決しようとする課題】
【０００５】
先行技術のバーベルと関連した一問題は、バーがバーを一端にウエイトを支持した状態で持ち上げたときに課される曲げ力に抵抗する場合、バーを強固で且つ比較的重い材料で作らなければならないということにある。このバーの重量は、端ウエイトが無い場合でも運動用器具に対して最低限の重量を課す。別の問題は、ディスク状端ウエイトを用いると、関連のウエイトと共にバーベルの貯蔵及び運搬において問題が生じるということにある。
【０００６】
従来型バーベルと関連したもう１つの問題は、回転自在な握りの有無を問わず、非対称の応力を運動中、ユーザの筋肉に課すために、より重いウエイトを一端部に設け、他端部には設けないことが不便であり且つ不格好であるということにある。
【課題を解決するための手段】
【０００７】
これらの問題は、後で詳細に開示される本発明者の発明によって解決され、本発明は、回転可能な握りを支持し、１対の中間バーにより互いに連結された１対の互いに間隔を置いた外側リングを有するウエイトリフティング器具を提供し、各中間バーは、その互いに反対側の端部が、回転可能な取っ手を支持した２つのリングの対向した縁部に連結されている。連結バーは好ましくは、湾曲しており、バーベルの外部にこれらの湾曲面を備えると共に互いに向かい合ったこれらの対向した凹状面を備えるようリングに接合されている。これら連結バーは、リングを支持した２つの取っ手の接線を越えて延びず、したがって、バーは、運動中、ユーザの体に当たらないようになっている。連結バーは好ましくは、鋼管で作られ、したがって、連結バーは、バーベルの単一の従来型長手方向バーよりもひとまとめで考えて小さな重量を有することができるようになる。本発明の連結バーは好ましくは湾曲しているが、本発明の他の実施形態では、これら連結バーを真っ直ぐな区分、外方に突き出た中間曲がり部を備えた区分又は楕円形区分で形成してもよい。
【０００８】
外側リングは各々、外側リングの内周部と相補する外周部を備えた内側リングを回転自在に支持している。外側リングの内周部と内側リングの外周部との間の支承面は、摩擦によるものであってもよく、転がり軸受、例えば玉軸受、ローラ軸受等を備えていてもよい。変形例として、低摩擦材料、例えばナイロンを接触面に被着させてもよい。各内側リングは、握りで２等分され、したがって内側リングを取っ手に及ぼされる力により外側リング内で任意の便利な位置まで回転できるようになっている。
【０００９】
この構造により、非常に強固であって軽量であり、しかも剛性の運動用器具が提供される。
【００１０】
以下に詳細に開示する本発明の実施形態では、好ましくは管材料で作られた中央の真っ直ぐなバーが、２つの外側連結バー相互間の中間でこれらの最も近い離隔箇所のところで２つのリングを互いに連結している。比較的小さなウエイトが、この中央バー上で滑動的に支持されており、したがって、バーを一方の垂直方向又は他方の垂直方向に傾けると、ウエイトが下方の端部に向かって滑るようになっている。かくして、バーを非対称に重み付けすることができ、したがって、運動者により及ぼされる仕事が、反対側の側部ではなくウエイトを備えた側部で大きくなるようになっている。これにより、運動者は、一筋肉群に別の筋肉群よりも高い力をもたらすことができ、しかも、運動相互間でのウエイトのシフトが可能になる。かくして、非対称の応力を課して斜筋及び関連の筋肉群を運動させることができる。
【００１１】
先行技術のバーベルは典型的には、ディスク状のウエイトを用いている。本発明の一実施形態では、２つの外側リングの外側部に設けられた支持延長部上に固定されるべきウエイトは、細長い矩形であり、好ましくは半月の形をしていて、リングとほぼ同じ半径に合わせて湾曲しており、したがって、最も内側のウエイトがリングに当たり、最も外側のウエイトが、内側のウエイト周りに湾曲状態で位置するようになっている。かかる湾曲ウエイトは、リングに平行に延び、関連のウエイトを備えたバー全体に貯蔵又は運搬のための幅の狭いプロフィールを与えている。
【００１２】
本発明の運動用器具は、多種多様な運動に有用である。具体的には、次の通りである。
１．取っ手を中心軸線に平行にした状態で持ち上げたり回すことにより二頭筋を運動させることができる。
２．取っ手を中心軸線に平行にした状態で持ち上げたり回すことにより三頭筋を運動させることができる。
３．いずれか一方の湾曲した連結バーの端部を握って僧帽筋を運動させることができる。
４．取っ手を掴んだ手が中心軸線に垂直な状態でプッシュアップを行うことができる。
５．正確な支持角度で通常のベンチプレスを安全に行うことができる。というのは、単一の従来型バーが胸部に当たる恐れを生じさせないで、２重連結バーが胸部上に位置するからである。
６．滑りウエイトにより、運動者に対する非対称の応力を加えることができ、それにより斜筋及びこれに繋がっている筋肉群の運動が可能になる。
【００１３】
２つのリングの外側部に延長ウエイト支持区分が設けられていない本発明の変形例を構成できることが意図されている。この変形例は、運動用の単一のウエイトをもたらすと共に力の弱い人や何割かの女性に有用であると共に延長ウエイト支持区分を備えた変形例よりも貯蔵及び運搬にとってよりコンパクトである。
【００１４】
本発明の他の目的、利点及び用途は、本発明の好ましい実施形態についての以下の詳細な説明により明らかになろう。この説明は、添付の図面を参照している。
【図面の簡単な説明】
【００１５】
【図１】人が運動のためにバーベルの第１の実施形態を用いている状態の斜視図であり、筋肉に非対称の力を課すための別の位置を想像線で示す図である。
【図２】数個の半月形ウエイトを支持した本発明の好ましい実施形態の上から見た斜視図である。
【図３】従来型ディスク状ウエイトを支持した図２の実施形態の部分斜視図である。
【図４】本発明の好ましい実施形態の分解組み立て図である。
【図５】追加のウエイトを支持するための端バーを備えていない本発明の変形実施形態の斜視図である。
【図６】端スタンド上に支持された本発明の好ましい実施形態の斜視図である。
【発明を実施するための形態】
【００１６】
図１〜図４を参照すると、本発明の運動用器具の好ましい実施形態が、好ましくは鋼管、アルミニウム又は他の硬質材料で作られた１対の外側リング１０，１２を有している。リング１０の各々にはその周囲に沿って一定間隔で、内側の回転可能なリングを以下に説明する仕方で固定するための多数のタップ穴１４が形成されている。
【００１７】
２つの外側リング１０，１２は、１対の湾曲した管状連結バー１６，１８により互いに接合されている。バーの端部は、外側リング１０，１２の周囲上の互いに間隔を置いた箇所に溶接され又は違ったやり方で固定されている。運動用器具のバー及び他の要素を中実又は管状の合金又は複合材で作ってもよい。好ましくは断面が矩形の真っ直ぐな中央バー２０が、２本の湾曲した連結バー１６，１８の中間に延びており、この中央バーも又、バー１６，１８の連結箇所相互間の中間で２つのリング１０，１２の外周部に固定された端部を有している。連結バー２０は、中実であってもよく、管状であってもよい。バー１６，１８，２０は、リング１０，１２に連結されていて、リング並びにこれらの連結バーが全て、共通平面内に位置するようになっている。バー１６，１８，２０の長さは好ましくは、２つのリング１０，１２の中心が運動用器具を掴む上で快適な距離である約１０〜１５インチ（２５．４〜３８．１ｃｍ）だけ離されるような長さである。
【００１８】
リング１０，１２の内径よりも僅かに小さな外径を有する１対の内側リング２２，２４が、対向した対をなす保持板２８，３０，３２，３４によって外側リング内に固定されている。保持板２８，３０，３２，３４の厚さを貫通して、多数個のねじ穴３６が形成されている。保持リングをねじ３１で外側リング１０，１２の対向したフェースに固定して内側リング２２，２４をこれら外側リング相互間に捕捉するのがよい。内側リング２２，２４は、外側リング１０，１２の外周部内に隙間嵌め状態をなしている。内側リング２２，２４は各々、それぞれのリングを直径方向に横切って延びるのこ歯状表面を備えた円筒形のグリップ部材３８，４０を有している。
【００１９】
金属製のウエイト４２が、真っ直ぐな連結バー２０上に滑動可能に支持されている。嵌まり具合は、このウエイトがバーを適当に傾けたときに一方の側から他方の側へ容易に滑ることができるようなものである。図１では、ウエイト４２は、運動者５０の右腕寄りの端に位置した状態で示され、運動者の左腕に隣接した位置のところに想像線で示されている。  本発明の変形実施形態では、外側連結バーのうち一方又は両方は、真っ直ぐであってもよく、１つ又は複数個の滑りウエイトを中央バーではなく、これら外側バー上に支持してもよい。また、滑りウエイトを支持するたった１本の連結バーを用いてもよい。
【００２０】
図１〜図４の実施形態では、ウエイト支持延長部５２，５４が、中央連結バー２０が外側リング１０，１２を接合する箇所と直径方向反対側の箇所で外側リング１０，１２にそれぞれ固定されている。延長部５２，５４は好ましくは、丸くなった端部により互いに連結された１対の平らで平行な側部を有している。
【００２１】
複数個のウエイトを従来型バーベルの方法で各延長部５２，５４上に支持することができる。図１及び図３は、本発明に従って形成された半月形ウエイトを示している。半月形ウエイトは、延長部の平らな側部と滑り嵌め関係をなす中央スロットを有し、リング１０，１２の平面と整列した平らな側部により保持されている。図３は、延長部５２上に固定され、従来型ばねクリップ６２により保持された中央丸穴を備えた数個の従来型ディスク状ウエイト６０を示している。延長部の丸い縁部は、丸い穴と滑り嵌め関係をなす。
【００２２】
本発明の別の新規な特徴は、従来型ディスク状ウエイト６０ではなく、半月形ウエイト６４ａ，６４ｂ，６４ｃを用いることにある。これら半月形ウエイトは好ましくは、外側リング１０，１２の厚さとほぼ同じ厚さを有し、又これら半月形ウエイトは、これらウエイトを延長部５２，５４上に支持できるようにする中央穴を有している。これら半月形ウエイトを従来型ばねクリップ６２で保持してもよい。半月形ウエイトを装着した場合、運動用器具は、比較的平らなプロフィールを有し、かかる運動用器具を都合よく保管し又は梱包することができる。半月形ウエイト６４ａは、外側リングの直径とほぼ同じ直径を備えた凹状面を有し、したがって、このウエイトは、外側リング周りに僅かに延びるようになっている。ウエイト６４ｂ，６４ｃは、これらがより大きなウエイトの凸状面にぴったりと合致できるようにする凹状面を有する。
【００２３】
図５に示す本発明実施形態は、本発明の第１の実施形態の一部をなすウエイト支持延長部５２，５４を備えていない。これとは異なり、この運動用器具は単に、リング及びこれらの回転可能な取っ手、並びに関連の連結バー及び滑りウエイトから成っている。本発明の変形実施形態では、内側リング２２，２４を外側リング１０，１２内に支持するのに転がり軸受を使用できる。これは、玉軸受又はローラ軸受であってもよい。変形例として、要素のうちの１つの係合面を減摩材で被覆してもよい。
【００２４】
また、図示の保持板とは対照的に、内側リング２２，２４を外側リング１０，１２内に固定するのに別の物理的構造を使用してもよい。
【００２５】
好ましくは管状である連結バー１６，１８，２０を用いると、従来型バーベルのウエイトが無い状態でウエイトリフティング器具に剛性が与えられる。
【００２６】
本発明の変形実施形態では、中央バー２０及びその支持滑りウエイト４２を省いて対称型の運動しかできないようにしてもよい。
【００２７】
図１に示すように、バーを一方向又は別の方向に傾けることにより、他の従来型運動のためのバーを用いながら、非対称の力が運動者の筋肉に課される。
【００２８】
ウエイト６４ｃ又は６６の端部を越えて突き出た延長バー５２，５４の端部を図６に示すようにクレードル７０内に支持して運動者が取っ手３８，４０の回転調節性を利用して運動用バーでプッシュアップを行うことができるようにしてもよい。
【図１】
2010284542.tif 000003
【図２】
2010284542.tif 000004
【図３】
2010284542.tif 000005
【図４】
2010284542.tif 000006
【図５】
2010284542.tif 000007
【図６】
2010284542.tif 000008